【手続補正書】
【提出日】平成16年4月19日(2004.4.19)
【手続補正１】
【補正対象書類名】明細書
【補正対象項目名】請求項１
【補正方法】変更
【補正の内容】
【請求項１】
任意の長さに伸ばした４本のアームの先端にモーターを取り付け、そのモーターの回転を増幅ギヤー及び静止ギヤーに接続させて装置全体を回転させることを特徴とするＴＵ式エネルギー増幅装置。
【手続補正２】
【補正対象書類名】明細書
【補正対象項目名】請求項２
【補正方法】変更
【補正の内容】
【請求項２】
各アームに取り付けられている増幅ギヤーは、中心部の架台に取り付けられている静止ギヤーとお互いが接し、モーターの回転を静止ギヤーに反発させ、装置を回転させるとともに、モーターの回転力により円滑な速度で回転させることができる速度調整ギヤーを静止ギヤーより延びたセンターシャフト上に設けてあることを特徴とするＴＵ式エネルギー増幅装置。
【手続補正３】
【補正対象書類名】明細書
【補正対象項目名】請求項３
【補正方法】変更
【補正の内容】
【請求項３】
増幅されたエネルギーを取り出すために、センターシャフトにアクセスギヤーを設け、さらに発電機へ取り付けられるようにセンターシャフトを延ばして、増幅されたエネルギーを伝達させることを特徴としたＴＵ式エネルギー増幅装置。
【手続補正４】
【補正対象書類名】明細書
【補正対象項目名】請求項４
【補正方法】変更
【補正の内容】
【請求項４】
請求項１，２，３より構成されている本装置は、モーターによって得られた回転力を増幅ギヤーを介して、中央部の架台に取り付けられている静止ギヤーを蹴って勢い良く装置を進行方向に回転させる、またセンターシャフトを支点とし、アームの先端の増幅ギヤーのシャフトを力点、アクセスギヤーの半径の先端を作用点としたてこの原理が働き、さらに慣性の法則も作用するために、入力した力以上の力を大きな倍率で生み出すことを特徴とするＴＵ式エネルギー増幅装置。
【手続補正５】
【補正対象書類名】明細書
【補正対象項目名】請求項５
【補正方法】変更
【補正の内容】
【請求項５】
また増幅ギヤーとモーターギヤーの接点の力、すなわちモーターの入力の力（Ａ点）と増幅ギヤーと静止ギヤーの接点（Ｂ点）の力がプラスして、増幅ギヤーの中心（Ｃ点）に働き、すなわち入力された力がスムースに大きくなるというてんびんの原理が働くことを特徴とするＴＵ式エネルギー増幅装置。
【手続補正６】
【補正対象書類名】明細書
【補正対象項目名】請求項６
【補正方法】変更
【補正の内容】
【請求項６】
さらに、静止ギヤーが小さければモーターギヤーも小さくてすみ、しかも静止ギヤーとモーターギヤーの比率により本装置の回転数を変化させることができるという、すなわちローギヤーの原理が働くことを特徴とするＴＵ式エネルギー増幅装置。
【手続補正７】
【補正対象書類名】明細書
【補正対象項目名】０００２
【補正方法】変更
【補正の内容】
【０００２】
【従来の技術】
今までの技術では、入力した以上のエネルギーは取り出すことは不可能というエネルギー保存の法則等があり、この種の開発はあまり行われていなかった。


【手続補正８】
【補正対象書類名】明細書
【補正対象項目名】０００３
【補正方法】変更
【補正の内容】
【０００３】
【発明が解決しようとする課題】
従来の常識である入力した以上のエネルギーを取り出すことは不可能というすなわちエネルギー保存の法則等、また単純な永久運動やフライホイールの原理などといった従来の概念などを応用した装置では、入力した力以上のエネルギーを取り出すことは不可能という法則等があったが、これを増幅することを目的にしたものである。


【手続補正９】
【補正対象書類名】明細書
【補正対象項目名】０００４
【補正方法】変更
【補正の内容】
【０００４】
【発明を解決するための手段】
上記の問題を解決するために、センターシャフト（１）より十字の形に任意の長さで４本のアーム（２）を伸ばし、その先端にそれぞれモーター（３）を取り付け、このモーター（３）は回転運動させるだけでなくモーター（３）の重量が重りとなりフライホイールになり、大きな力を発揮するように取り付けられている、なお増幅ギヤー（６）はモーターギヤー（５）と接するように設けられ、さらに中心部の架台（１２）に設けられている静止ギヤー（４）ともそれぞれが接する構造になっており、モーター（３）の回転運動を本装置に伝達させてセンターシャフト（１）を中心に全体を回転させフライホイールとしての役割を果たさせるとともに、回転のスピードを速くすることで慣性の法則［Ｆ＝ｍｒω２］が働くことになる。


【手続補正１０】
【補正対象書類名】明細書
【補正対象項目名】０００６
【補正方法】変更
【補正の内容】
【０００６】
また、増幅ギヤー（６）や静止ギヤー（４）は大型でモーターギヤー（５）の数倍はあるので、モーターギヤー（５）とのギヤー比はローギヤーと同じ比率となり、モーター（３）にかかる負担は少なくて済むと同時に増幅ギヤー（６）とモーターギヤー（５）とが接するＡ点に入力された力は、その反対側の増幅ギヤー（６）と静止ギヤー（４）が接するＢ点に働く力と等しく、そのため増幅ギヤー（６）の中心のＣ点へ働く力はＡ＋Ｂとなり、ここにてんびんの原理が働き、入力したモーター（３）の力がスムースにＣ点に働いて、アーム（２）を勢い良く進行方向に押し出すとともに回転をさせることができる。


【手続補正１１】
【補正対象書類名】明細書
【補正対象項目名】０００７
【補正方法】変更
【補正の内容】
【０００７】
つぎに、静止ギヤー（４）は増幅ギヤー（６）やアーム（２）の長さには関係なく、小さければモーターギヤー（５）も小さくて済み、しかもモーター（３）にかかる負担も少なくなって効率的となり、なおかつ静止ギヤー（４）とモーターギヤー（５）の比率で本装置の回転数も変化する。


【手続補正１２】
【補正対象書類名】明細書
【補正対象項目名】０００８
【補正方法】削除
【補正の内容】
【手続補正１３】
【補正対象書類名】明細書
【補正対象項目名】０００９
【補正方法】変更
【補正の内容】
【０００９】
従来の常識である入力した以上のエネルギーを取り出すことは不可能という、すなわちエネルギー保存の法則等をモーター（３）の回転と重量を増幅ギヤー（６）で繋ぎ、アーム（２）を長く伸ばし、静止ギヤー（４）を小さくすることによって、モーターギヤー（５）も小さくて済み、モーター（３）にかかる負担も少ないために、装置をスピード回転させることができ、しかも慣性の法則［Ｆ＝ｍｒω２］も働くので、従来の概念を変えることが出来る。


【手続補正１４】
【補正対象書類名】明細書
【補正対象項目名】００１０
【補正方法】変更
【補正の内容】
【００１０】
【発明の実施の形態】
センターシャフト（１）より十字の形に４本のアーム（２）を任意の長さに伸ばし、その中心部の架台（１２）に静止ギヤー（４）を設けていて、またそれぞれのアーム（２）の先端にもモーター（３）が取り付けられていて、そのモーター（３）のそれぞれにはモーターギヤー（５）が設けられていて、さらに静止ギャー（４）より先に延ばされたセンターシャフト（１）上にモーター（３）に取り付けられているモーターギヤー（５）と接している速度調整ギヤー（１４）が設けられている。
【手続補正１５】
【補正対象書類名】明細書
【補正対象項目名】００１１
【補正方法】変更
【補正の内容】
【００１１】
この４本のアーム（２）上には、中心から同距離の位置に増幅ギヤー（６）が設けられていて、さらに各アーム（２）の先端のモーター（３）のある位置を上から押さえモーター（３）の保護をするアームつなぎ及びモーター保護リング（１１）によって補強されている。


【手続補正１６】
【補正対象書類名】明細書
【補正対象項目名】００１２
【補正方法】変更
【補正の内容】
【００１２】
またセンターシャフト（１）には増幅されたエネルギーを取り出し、他の機械の動力にするためにアクセスギヤー（８）が設けられ、さらにそこから先に延ばされたセンターシャフト（１）には発電機（１５）が取り付けられている。
【手続補正１７】
【補正対象書類名】明細書
【補正対象項目名】００１５
【補正方法】変更
【補正の内容】
【００１５】
【実施例】
以下本発明を図面に沿いながら説明すると、第１図にあるように、センターシャフト（１）より十字の形に任意の長さに４本のアーム（２）を伸ばし、その中心部の架台（１２）に静止ギヤー（４）が設けらている。


【手続補正１８】
【補正対象書類名】明細書
【補正対象項目名】００１６
【補正方法】変更
【補正の内容】
【００１６】
４本のアーム（２）の先端にはそれぞれモーターギヤー（５）が設けられているモーター（３）が取り付けられていて、しかもモーター保護の目的のアームつなぎ及びモーター保護リング（１１）によって各アーム（２）は繋がれて補強されている。


【手続補正１９】
【補正対象書類名】明細書
【補正対象項目名】００１７
【補正方法】変更
【補正の内容】
【００１７】
４本のアーム（２）上に、中心からそれぞれが同じ位置に増幅シャフト・ベアリング（７）によって増幅ギヤー（６）が取り付けられていて、各アーム（２）の先端に取り付けられているモーター（３）に設けられたモーターギヤー（５）とそれぞれが接しているとともに、中心部の架台（１２）に設けられている静止ギヤー（４）とも接していることが特徴である。


【手続補正２０】
【補正対象書類名】明細書
【補正対象項目名】００１８
【補正方法】変更
【補正の内容】
【００１８】
第２図にあるように、センターシャフト（１）にアクセスギヤー（８）が設けられており、またセンターシャフト（１）にはスリップリング（９）が設けられていて、そこからリード線が各アーム（２）の先端に取り付けられているリード線導入口（１０）へ繋がれ、しかもアーム（２）をはさんでセンターシャフト（１）の前後に架台（１２）があり、その上に本装置が乗せられていて、またアクセスギヤー（８）側のセンターシャフト（１）上には発電機（１５）が取り付けられており、その反対の静止ギヤー（４）側のセンターシャフト（１）上には速度調整ギヤー（１４）が設けられていて、モーター（３）に付されているモーターギヤー（５）と接している。
【手続補正２１】
【補正対象書類名】明細書
【補正対象項目名】００１９
【補正方法】削除
【補正の内容】
【手続補正２２】
【補正対象書類名】明細書
【補正対象項目名】００２０
【補正方法】変更
【補正の内容】
【００２０】
【発明の効果】
アームに取り付けたモーターは各ギヤーやアームによってエネルギーを増幅させ、またこの重量と回転により慣性の法則［Ｆ＝ｍｒω２］が働き、フライホイールとして大きな役割を果たすために、１図の中心より左側ではモーターの重量が下に働くので大きなマイナスになると考えられるが、１分間に１００回転位になると惰力で頂点に駆け上がり、さらにこれ以上回転数が上がった分はマイナスからプラスの力に変わり、そしてアームを押し出し、装置回転のエネルギーとなるこれらの仕事をする力、すなわちアクセスギヤーに働く力は［てこの原理＋慣性の法則＋ローギヤー＋てんびんの原理］により、大きくエネルギーを増幅することになるばかりでなく、本装置で取り出すエネルギーは多極同期発電機に使用すると、これにより発電された電力は再度本装置のモーターに使用することが可能であり、したがって無限エネルギーといえる。
【手続補正２３】
【補正対象書類名】明細書
【補正対象項目名】図３
【補正方法】削除
【補正の内容】
【手続補正２４】
【補正対象書類名】明細書
【補正対象項目名】符号の説明
【補正方法】変更
【補正の内容】
【符号の説明】
１  センターシャフト
２  アーム
３  モーター
４  静止ギヤー
５  モーターギヤー
６  増幅ギヤー
７  増幅シャフト・ベアリング
８  アクセスギヤー
９  スリップリング
１０  リード線導入口
１１  アームつなぎ及びモーター保護リング
１２  架台
１３  静止ギヤー固定ピン（架台に付く）
１４  速度調整ギヤー
１５  発電機
Ａ  モーターギヤーと増幅ギヤー
Ｂ  静止ギヤーの接点と増幅ギヤーの接点
Ｃ  増幅ギヤーの中心


【手続補正２５】
【補正対象書類名】図面
【補正対象項目名】図１
【補正方法】変更
【補正の内容】
【図１】
2002054557.tif 000001
【手続補正２６】
【補正対象書類名】図面
【補正対象項目名】図２
【補正方法】変更
【補正の内容】
【図２】
2002054557.tif 000002
【手続補正２７】
【補正対象書類名】図面
【補正対象項目名】図３
【補正方法】削除
【補正の内容】